(57)【要約】【課題】テキストに関する情報を有するデータを選択的に補償できるデータ処理装置が提供される。【解決手段】データ処理装置２００はレッド、グリーン、ブルー、及び付加色サブ画素のうち一部が各々具備されたロジック画素を含む表示装置３００にロジック画素に各々対応されるデータをデータ処理して提供する。データ処理装置２００はデータ分析部２０１とデータ補償部２５０を含む。データ分析部２０１は各データ別にテキスト、色相、ライン、及びエッジに関する情報を分析する。記データ補償部２５０はデータ分析部２０１で分析された情報を基づいてテキストに関する情報を有するデータのうちテキストの色相を表現できないロジック画素に対応されるデータを補償する。データ処理装置２００によれば、表示装置２００で表示される映像の中でテキストの可読性が改善される。【選択図】図４
2014206723.tif 000002
【特許請求の範囲】
【請求項１】
レッド、グリーン、ブルー、及び付加色サブ画素のうち一部が各々具備されたロジック画素を含む表示装置に、前記ロジック画素に各々対応されるデータをデータ処理して提供するデータ処理装置において、
各データ別にテキスト、色相、ライン、及び／又はエッジに関する情報を分析するデータ分析部と、
前記データ分析部で分析された情報を基づいてテキストに関する情報を有するデータのうちテキスト色相を表現できないロジック画素に対応されるデータであるテキストデータを補償するデータ補償部と、を含むデータ処理装置。
【請求項２】
前記データ分析部は、
前記データを第１ロジック画素ブロック単位にヒストグラム分析してテキストと背景の色相を決定するヒストグラム分析部と、
前記データを第２ロジック画素ブロック単位に分析してテキストに関する情報を有するか否かを検出し、前記第２ロジック画素ブロックに対応されるデータのうち少なくとも一部がテキストに関する情報を有する場合、第１テキスト信号を出力するテキスト判断部と、
前記第１テキスト信号を受信し、前記データを前記第２ロジック画素ブロック単位に分析して前記データの各々がライン及びエッジのうちいずれか１つに該当するか否かを検出するライン／エッジ検出部と、
前記第１テキスト信号を受信し、前記データの各々をなす色相を検出する色分析部をさらに含むことを特徴とする請求項１に記載のデータ処理装置。
【請求項３】
前記第２ロジック画素ブロックをなすロジック画素の数は前記第１ロジック画素ブロックをなすロジック画素の数より少ないことを特徴とする請求項２に記載のデータ処理装置。
【請求項４】
前記第１ロジック画素ブロックは少なくとも互いに隣接する１００００個のロジック画素を含むことを特徴とする請求項３に記載のデータ処理装置。
【請求項５】
前記第２ロジック画素ブロックは少なくとも３ｘ３のロジック画素を含むことを特徴とする請求項３に記載のデータ処理装置。
【請求項６】
前記テキスト判断部、前記ライン／エッジ検出部、及び前記色分析部の各々は前記第２ロジック画素ブロックをロジック画素行又はロジック画素列単位に移動させながら全体データをスキャンすることを特徴とする請求項２〜５のいずれか一項に記載のデータ処理装置。
【請求項７】
前記ヒストグラム分析部はレッド、グリーン、及びブルーの階調別の分布量を分析し、第１設定値以上を有する色相が２以上検出された場合、前記２以上の色相のうち最も少ない分布量を有する色相をテキストとして検出し、余りの色相を背景として検出することを特徴とする請求項２〜６のいずれか一項に記載のデータ処理装置。
【請求項８】
前記テキスト判断部は前記データの各々のレッド、グリーン、及びブルー別の最大階調値と第２設定値を比較してテキスト情報の有無を検出することを特徴とする請求項２〜６のいずれか一項に記載のデータ処理装置。
【請求項９】
前記テキスト判断部は、
前記最大階調値が前記第２設定値より大きい場合、前記第２ロジック画素ブロックに対応されるデータのうち少なくとも一部がテキストに関する情報を有することと判断し、
前記最大階調値が前記第２設定値より小さい場合、前記第２ロジック画素ブロックに対応されるデータがテキストに関する情報を有しないことと判断することを特徴とする請求項８に記載のデータ処理装置。
【請求項１０】
前記第２画素ブロックは基準ロジック画素と前記基準ロジック画素を囲む隣接ロジック画素を含み、
前記ライン／エッジ検出部は、前記基準ロジック画素に対応されるデータをレッド、グリーン、及びブルーの各々に対して、ライン、エッジ、及び余りの中のいずれか１つとして検出することを特徴とする請求項２に記載のデータ処理装置。
【請求項１１】
前記ライン／エッジ検出部は前記基準ロジック画素に対応されるデータと前記隣接ロジック画素に対応されるデータとの間の階調差を各々検出し、前記検出された階調差が第３設定値以上になるデータの個数に基づいて前記基準ロジック画素に対応されるデータをライン、エッジ、及び余りの中のいずれか１つとして検出することを特徴とする請求項１０に記載のデータ処理装置。
【請求項１２】
前記第２画素ブロックは３ｘ３のロジック画素を含み、
前記ライン／エッジ検出部は前記検出された階調差が前記第３設定値以上になるデータの個数が０＜Ｎ≦３である場合、前記基準データをエッジとして判断し、３＜Ｎ≦８である場合、前記基準データをラインに判断し、Ｎ＝０である場合、前記基準データをあまりとして判断することを特徴とする請求項１１に記載のデータ処理装置。
【請求項１３】
前記第２画素ブロックは基準ロジック画素と前記基準ロジック画素を囲む隣接ロジック画素を含み、
前記色分析部はレッド、グリーン、及びブルー別に前記基準ロジック画素に対応されるデータの分析信号を生成して前記データ補償部へ提供することを特徴とする請求項２に記載のデータ処理装置。
【請求項１４】
前記分析信号は基準色の分析信号及び基準色以外の色の分析信号を含むことを特徴とする請求項１３に記載のデータ処理装置。
【請求項１５】
前記基準色の分析信号及び前記基準色以外の色の分析信号の各々はトップ信号、ボトム信号、ハイ信号、及びロー信号のいずれか１つであり、
前記トップ信号は前記基準色に対するデータが前記基準ロジック画素に対応されるデータに在り、前記基準色に対するデータが前記隣接ロジック画素に対応されるデータに無い場合に生成され、
前記ボトム信号は前記基準色に対するデータが前記基準ロジック画素に対応されるデータに無く、前記基準色に対するデータが前記隣接ロジック画素に対応されるデータのうち一部に在る場合に生成され、
前記ハイ信号は前記基準色に対するデータが前記基準ロジック画素に対応されるデータ及び前記隣接ロジック画素に対応されるデータ全部に在る場合に生成され、
前記ロー信号は前記基準色に対するデータが前記基準ロジック画素に対応されるデータ及び前記隣接ロジック画素に対応されるデータ全てに無い場合に生成されることを特徴とする請求項１４に記載のデータ処理装置。
【請求項１６】
前記データ補償部は前記テキストデータのエッジとラインとのうち少なくとも１つを補償することを特徴とする請求項２に記載のデータ処理装置。
【請求項１７】
前記データ補償部は前記テキストデータのエッジとラインとを互いに異なる階調値に補償することを特徴とする請求項２に記載のデータ処理装置。
【請求項１８】
前記データ補償部は前記テキストデータのエッジとラインとを互に異なる色で補償することを特徴とする請求項２に記載のデータ処理装置。
【請求項１９】
前記データ補償部、は第１背景色相を有するテキストデータと、前記第１背景色相と互いに異なる第２背景色相を有するテキストデータとを互いに別に補償することを特徴とする請求項２に記載のデータ処理装置。
【請求項２０】
前記データ補償部は、前記テキストデータの補償色によって階調範囲を互いに別に補償することを特徴とする請求項２に記載のデータ処理装置。
【請求項２１】
前記データ補償部２５０は前記テキストデータのホワイト階調を最大階調の５〜２０％程度に補償し、レッド、グリーン、ブルー、又はホワイトを除外した他の付加色階調を最大階調の３〜５％程度に補償することを特徴とする請求項２０に記載のデータ処理装置。
【請求項２２】
レッド、グリーン、ブルー、及び付加色サブ画素のうち一部が各々具備されたロジック画素を含む表示装置と、
ＲＧＢデータを受信し、レンダリングしてデータを生成するレンダリング部と、
前記データをデータ処理して前記表示装置へ提供するデータ処理装置と、を含み、
前記データ処理装置は、
各データ別にテキスト、色相、ライン、及び／又はエッジに関する情報を分析するデータ分析部と、
前記データ分析部で分析された情報を基づいてテキストに関する情報を有するデータのうちテキストの色相を表現できないロジック画素に対応されるデータであるテキストデータを補償するデータ補償部と、を含むディスプレイシステム。
【請求項２３】
前記データ分析部は、
前記データを第１ロジック画素ブロック単位にヒストグラム分析してテキストと背景の色相を決定するヒストグラム分析部と、
前記データを第２ロジック画素ブロック単位に分析してテキストに関する情報を有するか否かを検出し、前記第２ロジック画素ブロックに対応されるデータのうち少なくとも一部がテキストに関する情報を有する場合、第１テキスト信号を出力するテキスト判断部と、
前記第１テキスト信号を受信し、前記データを前記第２ロジック画素ブロック単位に分析して前記データの各々がライン及びエッジのいずれか１つに該当するか否かを検出するライン／エッジ検出部と、
前記第１テキスト信号を受信し、前記データの各々をなす色相を検出する色分析部と、をさらに含むことを特徴とする請求項２２に記載のディスプレイシステム。
【請求項２４】
前記レンダリング部はレッド、グリーン、及びブルーデータによるＲＧＢ色域をレッド、グリーン、ブルー、及び付加色の色域としてマッピングさせることを特徴とする請求項２２または請求項２３に記載のディスプレイシステム。
【発明の詳細な説明】
【技術分野】
【０００１】
本発明はデータ処理装置及びこれを有するディスプレイシステムに関し、より詳細にはテキストに関する情報を有するデータを選択的に補償するデータ処理装置及びこれを有するディスプレイシステムに関する。
【背景技術】
【０００２】
従来の表示装置は１つのロジック画素がレッド、グリーン及びブルー色相を各々表現するサブ画素を含む形態に設計された表示パネルを利用して映像を表示する。
【０００３】
しかし、最近１つのロジック画素をレッド、グリーン、ブルー及び付加色サブ画素の中で一部を有するように設計して表示装置の輝度を向上するためのペンタイル（ｐｅｎｔｉｌｅ）技術が開発されている。ペンタイル構造の表示装置は解像度が低くなる短所があるが、表示装置の全体的な開口率及び透過率を向上させる長所がある。
【０００４】
ペンタイル構造の表示装置で１つのロジック画素にはレッド、グリーン、ブルー、及び付加色に関する情報を有するデータが印加される。しかし、１つのロジック画素はレッド、グリーン、ブルー、及び付加色サブ画素（ｏｐｔｉｏｎａｌ  ｃｏｌｏｒ  ｓｕｂ−ｐｉｘｅｌ）の中で一部のみを包含するので、レッド、グリーン、ブルー、及び付加色のうち一部のみを表示することができる。
【０００５】
ペンタイル構造の表示装置で背景とテキスとからなされた映像を表現する場合、テキストの色相を表現できないロジック画素によって、テキストの可読性が低下される問題がある。
【先行技術文献】
【特許文献】
【０００６】
【特許文献１】米国特許第８，０１８，４７６号公報
【発明の概要】
【発明が解決しようとする課題】
【０００７】
本発明が解決しようとする課題はテキストに関する情報を有するデータを選択的に補償できるデータ処理装置を提供することである。
【０００８】
本発明のその他の課題は前記データ処理装置を具備するディスプレイシステムを提供することである。
【課題を解決するための手段】
【０００９】
本発明の一実施形態によるデータ処理装置はレッド、グリーン、ブルー、及び付加色サブ画素のうち一部が各々具備されたロジック画素を含む表示装置に前記ロジック画素に各々対応されるデータをデータ処理して提供する。
【００１０】
前記データ処理装置はデータ分析部及びデータ補償部を含む。前記データ分析部は各データ別にテキスト、色相、ライン、及びエッジに関する情報を分析する。
【００１１】
前記データ補償部は前記データ分析部で分析された情報を基づいてテキストに関する情報を有するデータのうちテキストの色相を表現できないロジック画素に対応されるデータであるテキストデータを補償する。
【００１２】
前記データ分析部はヒストグラム分析部、テキスト判断部、ライン／エッジ検出部、及び色分析部を含む。
【００１３】
前記ヒストグラム分析部は前記データを第１ロジック画素ブロック単位にヒストグラム分析してテキストと背景との色相を決定する。前記ヒストグラム分析部はレッド、グリーン、及びブルーの階調別の分布量を分析し、第１設定値以上を有する色相が２以上検出された場合、前記２以上の色相のうち最も少ない分布量を有する色相をテキストとして検出し、余りの色相を背景として検出する。
【００１４】
前記テキスト判断部は前記データを第２ロジック画素ブロック単位に分析してテキストに関する情報を有するか否かを検出し、前記第２ロジック画素ブロックに対応されるデータのうち少なくとも一部がテキストに関する情報を有する場合、第１テキスト信号を出力する。
【００１５】
前記テキスト判断部は前記データの各々のレッド、グリーン、及びブルー別の最大階調値と第２設定値とを比較してテキスト情報の有無を検出する。前記テキスト判断部は前記最大階調値が前記第２設定値より大きい場合、前記第２ロジック画素ブロックに対応されるデータのうち少なくとも一部がテキストに関する情報を有することと判断し、前記最大階調値が前記第２設定値より小さい場合、前記第２ロジック画素ブロックに対応されるデータがテキストに関する情報を有しないことと判断する。
【００１６】
前記ライン／エッジ検出部は前記第１テキスト信号を受信し、前記データを前記第２ロジック画素ブロック単位に分析して前記データの各々がライン及びエッジのいずれか１つに該当するか否かを検出する。前記ライン／エッジ検出部は前記基準ロジック画素に対応されるデータと前記隣接ロジック画素に対応されるデータとの間の階調差を各々検出し、前記検出された階調差が第３設定値以上になるデータの個数に基づいて前記基準ロジック画素に対応されるデータをライン、エッジ、及び余りのうちいずれか１つとして検出する。
【００１７】
前記色分析部は前記第１テキスト信号を受信し、前記データの各々をなす色相を検出する。前記色分析部はレッド、グリーン、及びブルー別に前記基準ロジック画素に対応されるデータの分析信号を生成して前記データ補償部へ提供する。
【００１８】
前記第１ロジック画素ブロックは少なくとも互いに隣接する１００００個のロジック画素を含む。前記第２ロジック画素ブロックは少なくとも３ｘ３のロジック画素を含む。
【００１９】
本発明の一実施形態によるディスプレイシステムは表示装置、レンダリング部、データ処理装置を含む。
【００２０】
前記表示装置はレッド、グリーン、ブルー、及び付加色サブ画素のうち一部が各々具備されたロジック画素を含む。
【００２１】
前記レンダリング部はＲＧＢデータを受信し、レンダリングしてデータを生成する。
【発明の効果】
【００２２】
本発明によるデータ処理装置及びディスプレイシステムによれば、テキストに関する情報を有するデータのうちテキストの色相を表現できないロジック画素に対応されるデータを補償して表示装置で表示されるテキストの可読性が改善され得る。
【図面の簡単な説明】
【００２３】
【図１】本発明の一実施形態によるディスプレイシステムのブロック図である。
【図２】図１に図示された表示装置のブロック図である。
【図３】図１及び図２に図示されたデータ処理装置を示したブロック図である。
【図４】図３のデータ分析部を示したブロック図である。
【図５】ヒストグラム分析部の動作を説明するための図面である。
【図６】図５の一部を拡大した図面である。
【図７】基準データがラインに検出される多様な例を示した図面である。
【図８】基準データがエッジとして検出される多様な例を示した図面である。
【図９】トップ信号（Ｉ）、ボトム信号（ＩＩ）、ハイ信号（ＩＩＩ）、及びロー信号（ＩＶ）を示した図面である。
【図１０】グリーンが基準色として設定された場合に、発生されることができる基準色の分析信号と基準色以外の色の分析信号との場合を示した図面である。
【図１１Ａ】従来の表示装置で表示される映像を示した図面である。
【図１１Ｂ】従来の表示装置で表示される映像を示した図面である。
【図１２Ａ】本発明の表示装置で表示される映像を示した図面である。
【図１２Ｂ】本発明の表示装置で表示される映像を示した図面である。
【図１３】本発明の他の実施形態による表示パネルを示した図面である。
【図１４】本発明の様々な実施形態による表示パネルを示した図面である。
【図１５】本発明の様々な実施形態による表示パネルを示した図面である。
【図１６】本発明の様々な実施形態による表示パネルを示した図面である。
【図１７】本発明の様々な実施形態による表示パネルを示した図面である。
【図１８】本発明の様々な実施形態による表示パネルを示した図面である。
【発明を実施するための形態】
【００２４】
以上の本発明の目的、他の目的、特徴及び長所は添付された図面に関連された以下の望ましい実施形態を通じて容易に理解できる。しかし、本発明はここで説明される実施形態に限定されず、他の形態に具体化されることもあり得る。むしろ、紹介される実施形態は開示された内容が具体的に、完全になることできるように、そして当業者に本発明の思想が十分に伝達され得るようにするために提供される。
【００２５】
図１は本発明の一実施形態によるディスプレイシステム１０のブロック図である。
【００２６】
図１を参照すれば、前記ディスプレイシステム１０はレンダリング部１００、データ処理装置２００、及び表示装置３００を含む。
【００２７】
レンダリング部１００はＲＧＢデータＲＧＢを受信し、レンダリングして映像データＲＧＢＷを生成する。この時、映像データＲＧＢＷは表示装置３００に具備されたロジック画素に対応されるデータからなされる。
【００２８】
レンダリング部１００の動作を簡略に説明すれば、レッド、グリーン、及びブルーデータからなされたＲＧＢデータＲＧＢをレッド、グリーン、ブルー、及び付加色を有する映像データＲＧＢＷにマッピングさせる。この時、付加色はレッド、グリーン、及びブルーではない少なくとも１つ以上の他の色である。映像データＲＧＢＷは表示装置３００に具備されたサブ画素の各々で表現できる色データからなされる。本実施形態でサブ画素がレッド、グリーン、ブルー、及びホワイトサブ画素からなされた場合、映像データＲＧＢＷはレッド、グリーン、ブルー、及びホワイトデータからなされる。
【００２９】
レンダリング部１００は色域マッピングアルゴリズム（Ｇａｍｕｔ  Ｍａｐｐｉｎｇ  Ａｌｇｏｒｉｚｍ：ＧＭＡ）を利用してレッド、グリーン、及びブルーデータによるＲＧＢ色域をレッド、グリーン、ブルー、及び前記付加色の色域にマッピングさせることができる。
【００３０】
一方、レンダリング部１００はＲＧＢデータＲＧＢをレンダリングする前にＲＧＢデータＲＧＢをガンマ関数を利用して線形化させることができる。また、レンダリング部１００は線形化された映像データＲＧＢＷを逆ガンマ関数を利用して非線形化させることができる。
【００３１】
データ処理装置２００は映像データＲＧＢＷを受信してデータ処理した後、補償データＲＧＢＷ’を出力する。詳細な説明は後述される。
【００３２】
図２は図１に図示された表示装置のブロック図である。
【００３３】
表示装置３００は表示パネル３１０、タイミングコントローラ３２０、ゲート駆動回路３３０、及びデータ駆動回路３４０を含む。
【００３４】
表示パネル３１０は映像を表示する画面を具現し、複数のサブ画素を含む。サブ画素はＲＧＢストライプ構造ではないペンタイル（Ｐｅｎｔｉｌｅ）構造又はＭＰＣ（Ｍｕｌｔｉ−Ｐｒｉｍａｒｙ  ＣＯＬＯＲ）構造でなされ得る。
【００３５】
サブ画素は基本色サブ画素と付加色サブ画素とを包含することができる。基本色サブ画素はレッドサブ画素、グリーンサブ画素、及びブルーサブ画素を包含することができる。付加色サブ画素はホワイト、イエロー、シアン、及びマゼンタサブ画素のうち少なくとも１つを包含することができる。図２には表示パネル３１０は基本色サブ画素とホワイトサブ画素とを含むことを一例として図示した。
【００３６】
表示パネル３１０には複数個のロジック画素１ＬＰ〜４ＬＰが設定される。図２を参照すれば、表示パネル３１０は第１乃至第４ロジック画素１ＬＰ〜４ＬＰを含むことを一例として図示した。図２には４つのロジック画素１ＬＰ〜４ＬＰのみが図示したが、第１乃至第４ロジック画素１ＬＰ〜４ＬＰは反復的に配置され得る。
【００３７】
第１乃至第４ロジック画素１ＬＰ〜４ＬＰの各々は１つ以上のサブ画素を含み、レッド、グリーン、ブルー、及び付加色サブ画素のうち一部を含む。第１ロジック画素１ＬＰ及び第４ロジック画素４ＬＰの各々はレッドＲサブ画素及びグリーンＧサブ画素を含み、第２ロジック画素２ＬＰ及び第３ロジック画素３ＬＰの各々はブルーＢサブ画素及びホワイトＷサブ画素を含む。一方、以下でロジック画素１ＬＰ〜４ＬＰの各々は２つのサブ画素を含むことと説明したが、これに制限されることではなく、ロジック画素１ＬＰ〜４ＬＰの各々はレッドサブ画素、グリーンサブ画素、ブルーサブ画素、及び付加色サブ画素のうち一部のみを包含すれば、個数と形態とに関わらず設計され得る。
【００３８】
データは第１乃至第４ロジック画素１ＬＰ〜４ＬＰの各々に対応され、レッド、グリーン、ブルー、及びホワイトデータからなされるが、第１乃至第４ロジック画素１ＬＰ〜４ＬＰの各々はレッド、グリーン、ブルー、及びホワイトのうち一部のみを表示することができる。例えば、第１ロジック画素１ＬＰに対応される第１データはレッド、グリーン、ブルー、及びホワイトデータからなされるが、第１ロジック画素１ＬＰではレッド及びグリーンのみを表示することができる。同様に、第２ロジック画素２ＬＰに対応される第２データはレッド、グリーン、ブルー、及びホワイトデータからなされるが、第２ロジック画素２ＬＰではブルー及びホワイトのみを表示することができる。
【００３９】
データ処理装置２００は補償データＲＧＢＷ’をタイミングコントローラ３２０へ提供する。また、他の実施形態に前記データ処理装置２００は表示装置３００の一構成として提供され得、タイミングコントローラ３２０内に具備できる。
【００４０】
タイミングコントローラ３２０は補償データＲＧＢＷ’を適切なデータフォーマットに変換した後、データ駆動回路３４０へ提供する。また、タイミングコントローラ３２０は各種制御信号Ｏ−ＣＳを受信してデータ制御信号ＤＣＳ及びゲート制御信号ＧＣＳに各々変換する。タイミングコントローラ３２０はデータ制御信号ＤＣＳをデータ駆動回路３４０へ提供し、ゲート制御信号ＧＣＳをゲート駆動回路３３０へ提供する。
【００４１】
データ駆動回路３４０はデータ制御信号ＤＣＳに応答して補償データＲＧＢＷ’をデータ電圧に変換して表示パネル３１０へ提供する。ゲート駆動回路３３０はゲート制御信号ＧＣＳに応答してサブ画素を一行単位に駆動させるためのゲート信号を順次的に出力する。
【００４２】
図３は図１及び図２に図示されたデータ処理装置２００を示したブロック図であり、図４は図３のデータ分析部を示したブロック図である。
【００４３】
図３及び図４を参照すれば、データ処理装置２００はデータ分析部２０１及びデータ補償部２５０を含む。
【００４４】
データ分析部２０１はデータをブロック単位に分析し、その結果をデータ補償部２５０へ提供する。データ分析部２０１は各データ別にテキスト、色相、ライン、及びエッジに関する情報を分析する。
【００４５】
データ分析部２０１はヒストグラム分析部２１０、テキスト判断部２２０、ライン／エッジ検出部２３０、及び色分析部２４０を含む。
【００４６】
図５はヒストグラム分析部２１０の動作を説明するための図面である。図５には第１ロジック画素ブロックＬＢ１で黒色背景にグリーン色テキスト“Ｈ”が表現される場合を一例として図示している。第１ロジック画素ブロックＬＢ１は複数のロジック画素からなされ、データをヒストグラム分析するための最小単位である。
【００４７】
図３乃至図５を参照すれば、ヒストグラム分析部２１０は映像データＲＧＢＷを受信し、第１ロジック画素ブロックＬＢ１単位にヒストグラム分析してテキストと背景との色相を決定する。
【００４８】
ヒストグラム分析部２１０はデータのレッド、グリーン、及びブルーの階調別の分布量を第１ロジック画素ブロックＬＢ１毎に分析する。ヒストグラム分析部２１０は第１設定値以上を有する色相が２以上検出された場合、２以上の色相のうち最も少ない分布量を有する色相をテキストとして検出し、余りの色相を背景として検出する。この時、前記第１設定値は前記第１ロジック画素ブロックＬＢ１で表現できるテキストの色相別の最小分布量に設定され得る。
【００４９】
図５の場合、ヒストグラム分析部２１０はグリーンとブラックとが第１設定値以上であることと判断し、第１ロジック画素ブロックＬＢ１内でさらに少ない分布量を有するグリーンをテキストとして検出し、ブラックを背景として検出する。
【００５０】
第１ロジック画素ブロックＬＢ１は少なくとも互いに隣接する１００００個のロジック画素単位に設定され得る。望ましくは第１ロジック画素ブロックＬＢ１は１００ｘ１００個のロジック画素単位に設定され得る。図２に図示された表示パネル３１０が２０００ｘ１０００個のロジック画素からなされた場合、ヒストグラム分析部２１０は２００個の第１ロジック画素ブロックＬＢ１に各々対応されるデータ毎にヒストグラム分析する。
【００５１】
第１ロジック画素ブロックＬＢ１が１００ｘ１００個のロジック画素より比較的小さく設定されれば、背景を構成する色相が複数に検出された場合又はテキストが大きくて厚い場合、テキストと背景との色相を正確に検出することができない。
【００５２】
ヒストグラム分析部２１０は以後ブロックでテキストに関する情報を検出する際、正確度を高くするための機能を遂行する。したがって、ヒストグラム分析部２１０の機能は以後のブロックで遂行される機能と一部が重複されることがあり得るが、本発明が目的とする効果を達成するために要求される。
【００５３】
ヒストグラム分析部２１０は第１ロジック画素ブロックＬＢ１に対応されるデータが有するテキストと背景との色相情報を第１ヒストグラム信号ＳＧＮ＿Ｈ１として出力する。一方、第１ロジック画素ブロックＬＢ１に対応されるデータがテキストに関する情報を包含しない場合、例えば、第１ロジック画素ブロックＬＢ１が単色の背景に表示される場合、ヒストグラム分析部２１０は第２ヒストグラム信号ＳＧＮ＿Ｈ２を出力する。
【００５４】
ヒストグラム分析部２１０は第１ヒストグラム信号ＳＧＮ＿Ｈ１又は第２ヒストグラム信号ＳＧＮ＿Ｈ２をデータ補償部２５０へ提供する。
【００５５】
図６は図５の一部を拡大した図面である。図６には８ｘ８形態のロジック画素を一例として図示している。図６で第１番目のロジック画素列及び第２番目のロジック画素列に対応されるデータはグリーン色に関する情報を有し、余りのロジック画素に対応されるデータは黒色に関する情報を有する。
【００５６】
上述したように各ロジック画素ＬＰ１〜ＬＰ９はレッド及びグリーンサブ画素を包含するか、或いはブルー及びホワイトサブ画素を含む。例えば、第１ロジック画素ＬＰ１、第３ロジック画素ＬＰ３、第５ロジック画素ＬＰ５、第７ロジック画素ＬＰ７、及び第９ロジック画素ＬＰ９は各々レッド及びグリーンサブ画素を含み、第２ロジック画素ＬＰ２、第４ロジック画素ＬＰ４、第６ロジック画素ＬＰ６、及び第８ロジック画素ＬＰ８は各々ブルー及びホワイトサブ画素を包含することができる。
【００５７】
この時、第２ロジック画素ＬＰ２、第４ロジック画素ＬＰ４、及び第８ロジック画素ＬＰ８に各々対応されるデータはグリーンに関する情報を有するが、第２ロジック画素ＬＰ２、第４ロジック画素ＬＰ４、及び第８ロジック画素ＬＰ８の各々はグリーンサブ画素がないので、グリーンを表現することができない。このような問題は絵に関するデータより背景と明確な境界の表現が要求されるテキストに関するデータを表現するのにさらに問題になる。最大に拡大された映像を表示する場合、結局、グリーン色テキスト“Ｈ”は境界が無くなって使用者に“Ｈ”として認識することができない。
【００５８】
図３、図４、及び図６を参照すれば、テキスト判断部２２０は映像データＲＧＢＷを受信する。テキスト判断部２２０は第２ロジック画素ブロックＬＢ２に対応するデータを分析してテキストに関する情報を有するか否かを検出する。この時、テキスト判断部２２０は第２ロジック画素ブロックＬＢ２をロジック画素行又はロジック画素列の単位に移動させながら、全体データも２の映像データＲＧＢＷを前記第２ロジック画素ブロックＬＢ２に対応するデータ単位にスキャンする。
【００５９】
第２ロジック画素ブロックＬＢ２は少なくとも３ｘ３のロジック画素を含む。第２ロジック画素ブロックＬＢ２に含まれたロジック画素の個数が多くなるほど、信頼度が改善されるが、演算量が多くなる問題がある。一方、第２ロジック画素ブロックＬＢ２に含まれたロジック画素の数は第１ロジック画素ブロックＬＢ１に含まれたロジック画素数より少なくように設定される。以下の説明では第２ロジック画素ブロックＬＢ２は３ｘ３のロジック画素を含むことを基準に説明する。
【００６０】
映像データＲＧＢＷは第２ロジック画素ブロックＬＢ２の第１乃至第９ロジック画素ＬＰ１〜ＬＰ９に各々対応する第１乃至第９データを含む。
【００６１】
テキスト判断部２２０は第１乃至第９データの各々のレッド、グリーン、及びブルー別の最大階調値と第２設定値とを比較してテキスト情報の有無を検出する。この時、第２設定値は色相別にテキストとして認定されるために要求される最小階調値である。さらに具体的に、テキスト判断部２２０は第１乃至第９データを分析して、レッド、グリーン、ブルー、及びホワイト別に階調値を検出する。この時、第１データ、第２データ、第４データ、第５データ、第７データ、及び第８データは各々同一のグリーン色の特定階調値を有するので、テキスト判断部２２０はこれらの中で１つを最大階調値として検出する。以後、テキスト判断部２２０は検出された最大階調値がグリーン色に対して第２設定値より大きい場合、第１乃至第９データ内にテキスト情報があると判断し、検出された最大階調値がグリーン色に対して第２設定値より小さい場合、第１乃至第９データ内にテキスト情報が無いと判断する。例えば、第２設定値が１００階調である場合、検出された最大階調値が２００階調であれば、テキスト判断部２２０は第１乃至第９データ内にテキスト情報があると判断し、検出された最大階調値が１０階調であれば、テキスト判断部２２０は第１乃至第９データ内にテキスト情報が無いと判断する。
【００６２】
テキスト判断部２２０は第２ロジック画素ブロックＬＢ２に対応される第１乃至第９データを分析した後、第２ロジックブロックＬＢ２を行方向又は列方向に移動させた後に、移動された第２ロジック画素ブロックＬＢ２’に対応されるデータを分析してテキストを含むか否かを検出する。テキスト判断部２２０はこのような方式に全体データを第２ロジックブロックＬＢ２単位に分析する。この時、テキスト判断部２２０は第２ロジック画素ブロックＬＢ２を少なくとも１ロジック画素行又は少なくとも１ロジック画素列の単位に移動させながら、スキャンする。しかし、全体データをスキャンするためにはテキスト判断部２２０は行方向スキャンの場合、１回にロジック画素ブロックＬＢ２を３ロジック画素行以下に移動させながら、スキャンしなければならない。同様に、テキスト判断部２２０は列方向スキャンの場合、１回に前記ロジック画素ブロックＬＢ２を３ロジック画素列以下に移動させながら、スキャンしなければならない。
【００６３】
テキスト判断部２２０は第２ロジックブロックＬＢ２に対応されるデータにテキストに関する情報が含まれた場合、これを第１テキスト信号ＳＧＮ＿Ｔ１として出力してライン／エッジ検出部２３０及び色分析部２４０へ提供する。一方、テキスト判断部２２０は第２ロジックブロックＬＢ２に対応されるデータにテキストに関する情報が包含されなかった場合、これを第２テキスト信号ＳＧＮ＿Ｔ２として出力してデータ補償部２５０へ提供する。
【００６４】
テキスト判断部２２０では第２ロジック画素ブロックＬＢ２に対応するデータの最大階調値を基づいて判断するので、最大階調値が第２設定値以上であれば、９つのデータが全てテキストに該当するか、あるいは全て背景に該当する場合にも第１テキスト信号ＳＧＮ＿Ｔ１を出力する。
【００６５】
ライン／エッジ検出部２３０はテキスト判断部２２０から提供された第１テキスト信号ＳＧＮ＿Ｔ１に基づいてデータがレッド、グリーン、及びブルーの各々に対してライン及びエッジのうちいずれか１つに該当するか否かを検出する。この時、ライン／エッジ検出部２３０は全体データを第２ロジック画素ブロックＬＢ２単位にスキャンする。
【００６６】
第２ロジック画素ブロックＬＢ２は基準ロジック画素と基準ロジック画素に隣接して基準ロジック画素を囲む隣接ロジック画素を含む。図６で基準ロジック画素は第５ロジック画素ＬＰ５であり、隣接ロジック画素は第１乃至第４ロジック画素ＬＰ１〜ＬＰ４及び前記第６乃至第９ロジック画素ＬＰ６〜ＬＰ９である。
【００６７】
ライン／エッジ検出部２３０はレッド、グリーン、ブルー別に基準ロジック画素に対応されるデータ（以下、基準データ）と隣接ロジック画素に対応されるデータ（以下、隣接データ）の間の階調差を各々検出する。ライン／エッジ検出部２３０は検出された階調差が第３設定値以上になるデータの個数に基づいて基準データをライン、エッジ、及び余りのうちいずれか１つとして検出する。第３設定値はテキストと背景の階調差の最小値で設定され得る。したがって、第３設定値は第２設定値より小さい階調に設定され得る。
【００６８】
ライン／エッジ検出部２３０は検出された階調差が第３設定値以上になるデータの個数（Ｎ）が０＜Ｎ≦３（０個より多く３個以下）である場合、基準データをエッジとして判断し、３＜Ｎ≦８（３個より多く８個以下）である場合、基準データをラインとして判断し、Ｎ＝０である場合、基準データを余りと判断する。ここで、余りは基準データがエッジ又はラインに該当されないことを意味する。一例として、第２ロジック画素ブロックＬＢ２内の９つのデータが全てテキストに該当するか、或いは全て背景に該当する場合、データは余りとして判断される。基準データがラインに判断された場合、基準データはテキスト又は背景がシングルラインからなされたことを意味する。基準データがエッジとして判断された場合、基準データはテキスト又は背景の外郭を構成することを意味する。
【００６９】
図７は基準データがラインに検出される多様な例を示した図面であり、図８は基準データがエッジとして検出される多様な例を示した図面である。図７及び図８で斜線をつけたロジック画素に対応されるデータと斜線がないロジック画素に対応されるデータは互いに第３設定値以上の階調差を有する。
【００７０】
図６に図示された第２ロジック画素ブロックＬＢ２を一例として説明すれば、ライン／エッジ検出部２３０は第５ロジック画素ＬＰ５に対応する第５データと隣接ロジック画素ＬＰ１〜ＬＰ４、ＬＰ６〜ＬＰ９に対応する隣接データとの間の階調差をレッド、グリーン、及びブルー別に各々検出する。この時、第１データ、第２データ、第４データ、第７データ、及び第８データは第５データと同一であるグリーン階調値を有するので、階調差が発生されない。しかし、第３データ、第６データ、及び第９データは前記第５データと比較してグリーン階調差を有し、グリーン階調差が第３設定値以上である。前記ライン／エッジ検出部２３０は検出されたグリーン階調差が前記第３設定値以上になるデータの個数が３つであるので、第５データをグリーンに対してエッジとして判断する。一方、第５データと隣接データとの間にレッド及びブルー階調差が無いので、ライン／エッジ検出部２３０は第５データをレッド及びブルーに対して各々エッジ及びラインではないと判断する。
【００７１】
ライン／エッジ検出部２３０は第２ロジック画素ブロックＬＢ２を１つのロジック画素行又は１つのロジック画素列の単位に移動させながら、全体データを第２ロジック画素ブロックＬＢ２に対応するデータ単位にスキャンする。
【００７２】
ライン／エッジ検出部２３０はデータがラインやエッジとして検出された場合、これを第１検出信号ＳＧＮ＿Ｄ１としてデータ補償部２５０へ提供する。ライン／エッジ検出部２３０はデータが余りとして検出された場合、これを第２検出信号ＳＧＮ＿Ｄ２としてデータ補償部２５０へ提供する。
【００７３】
ライン／エッジ検出部２３０はテキスト判断部２２０から提供された第１テキスト信号ＳＧＮ＿Ｔ１に基づいてデータがレッド、グリーン、及びブルーの各々に対してライン及びエッジのうちいずれか１つに該当するか否かを検出する。
【００７４】
図４及び図６を参照すれば、色分析部２４０は第１テキスト信号ＳＧＮ＿Ｔ１に基づいてデータの各々をなす色相を検出する。この時、色分析部２４０は全体データを第２ロジック画素ブロックＬＢ２の単位にスキャンする。
【００７５】
色分析部２４０は隣接データと基準データを比較してレッド、グリーン、ブルー別にデータの分析信号ＳＧＮ＿Ａを生成する。この時、１つの色を基準に分析した場合、分析信号ＳＧＮ＿Ａは基準色の分析信号と基準色以外の色の分析信号とを含む。基準色の分析信号と基準色以外の色の分析信号との各々はトップ信号、ボトム信号、ハイ信号、及びロー信号のうちいずれか１つであり得る。
【００７６】
図９はトップ信号（Ｉ）ボトム信号（ＩＩ）、ハイ信号（ＩＩＩ）、及びロー信号（ＩＶ）を示した図面である。
【００７７】
図９を参照すれば、トップ信号は基準色に対するデータが基準データに在り、隣接データのうち一部に基準色に対するデータが無い場合に生成される信号である。例えば、図６の第２ロジック画素ブロックＬＢ２を例として挙げれば、グリーンが基準色である場合に、第５データはグリーン色に対するデータを有するが、隣接データのうち第３データ、第６データ、及び第９データはグリーン色に対するデータが無いので、色分析部２４０は第２ロジック画素ブロックＬＢ２に対応するデータを分析した結果にグリーンに対してトップ信号を生成する。
【００７８】
ボトム信号は基準色に対するデータが基準データに無く、隣接データのうち一部に基準色に対するデータがある場合に生成される信号である。例えば、図６の移動された第２ロジック画素ブロックＬＢ２’を例として挙げれば、基準ロジック画素は第６ロジック画素ＬＰ６であるので、第６データが基準データになる。第６データはグリーン色に対するデータを有しないが、隣接データのうち第２データ、第５データ、第８データはグリーン色に対するデータを有するので、色分析部２４０は移動された第２ロジック画素ブロックＬＢ２’に対応するデータを分析した結果にグリーンに対してボトム信号を生成する。
【００７９】
ハイ信号は基準色に対するデータが基準データと隣接データとの全部にある場合に生成される信号である。例えば、グリーンが基準色である場合に、第２ロジック画素ブロックＬＢ２に対応されるデータが全てグリーン色に対するデータを有する場合に色分析部２４０はグリーンに対してハイ信号を生成する。
【００８０】
ロー信号は基準色に対するデータが基準データと隣接データとの全てに無い場合に生成される信号である。例えば、グリーンが基準色である場合に、第２ロジック画素ブロックＬＢ２に対応されるデータが全てグリーン色に対するデータを有しない場合に色分析部２４０はグリーンに対してロー信号を生成する。
【００８１】
再び図４及び図６を参照すれば、色分析部２４０はレッド、グリーン、及びブルー毎に基準色の分析信号と基準色以外の色の分析信号とを生成する。図６の場合、色分析部２４０はグリーンが基準色で設定された場合、グリーンに対してトップ信号を生成し、レッド及びブルーに対してボトム信号を生成する。一方、色分析部２４０はレッドが基準色で設定された場合、レッドに対してロー信号を生成し、グリーン、ブルーに対してもロー信号を生成する。同様に、色分析部２４０はブルーが基準色で設定された場合、ブルーに対してロー信号を生成し、レッド及びグリーンに対してもロー信号を生成する。
【００８２】
色分析部２４０は分析信号ＳＧＮ＿Ａをデータ補償部２５０へ提供する。
【００８３】
図１０はグリーンが基準色で設定された場合に、発生される基準色の分析信号Ａ＿Ｇと基準色以外の色の分析信号Ａ＿ＲＢの場合を示した図面である。この時、グリーンが基準色で設定された場合であるので、基準色以外の色はレッド及びブルーとして設定される。
【００８４】
図１０の（Ａ）の場合、グリーンに対してトップ信号が生成され、レッド及びブルーに対してロー信号が生成されたので、基準データはグリーンに対する情報を有し、隣接データのうち少なくとも一部はブラックに対する情報を有する。図１０の（Ｂ）の場合、グリーンに対してボトム信号が生成され、レッド及びブルーに対してハイ信号が生成されたので、基準データはブラックに対する情報を有し、隣接データのうち少なくとも一部はグリーンに対する情報を有する。図１０の（Ｃ）の場合、グリーンに対してハイ信号が生成され、レッド及びブルーに対してボトム信号が生成されたので、基準データはグリーンに対する情報を有し、隣接データのうち少なくとも一部はホワイトに対する情報を有する。図１０の（Ｄ）の場合、グリーンに対してハイ信号が生成され、レッド及びブルーに対してトップ信号が生成されたので、基準データはホワイトに対する情報を有し、隣接データのうち少なくとも一部はグリーンに対する情報を有する。図１０の（Ｅ）の場合、グリーンに対してトップ信号が生成され、レッド及びブルーに対してトップ信号が生成されたので、基準データはホワイトに対する情報を有し、隣接データのうち少なくとも一部はブラックに対する情報を有する。図１０の（Ｆ）の場合、グリーンに対してボトム信号が生成され、レッド及びブルーに対してボトム信号が生成されたので、基準データはブラックに対する情報を有し、隣接データのうち少なくとも一部はホワイトに対する情報を有する。
【００８５】
図３及び図４を参照すれば、データ補償部２５０は第１ヒストグラム信号ＳＧＮ＿Ｈ１、第１検出信号ＳＧＮ＿Ｄ１、及び分析信号ＳＧＮ＿Ａに基づいて各データ別に色相情報、テキストであるか否か、背景であるか否か、ライン／エッジであるか否か検出する。
【００８６】
データ補償部２５０はデータ分析部２０１で分析された情報を基づいてテキストに関する情報を有するデータのうちテキストの色相を表現できないロジック画素に対応されるデータ（以下、テキストデータ）を補償する。データ補償部２５０は補償データＲＧＢＷ’を生成して図１の表示装置３００へ提供する。
【００８７】
図６の前記第１ロジック画素ＬＰ１はレッド及びグリーンサブ画素を含み、第２ロジック画素ＬＰ２はブルー及びホワイトサブ画素を含むことと説明した。この時、第２データはグリーン色テキストに関する情報を有することと判断されるが、第２ロジック画素ＬＰ２ではグリーン色を表示することができないので、データ補償部２５０は第２データをブルー又はホワイト階調値を有するように補償する。グリーン色の場合、ブルーよりは一定の階調のホワイトを有するように補償するのが望ましい。
【００８８】
データ補償部２５０はテキストに該当されるデータを選択的に補償するので、図６の場合、データ補償部２５０は背景に該当される第３データ、第６データ、及び第９データを補償しない。
【００８９】
データ補償部２５０はテキストに関する情報を有しないデータを補償しない。具体的に、データ補償部２５０が第２ヒストグラム信号ＳＧＮ＿Ｈ２、第２テキスト信号ＳＧＮ＿Ｔ２、及び／又は第２検出信号ＳＧＮ＿Ｄ２を受信した場合と分析信号ＳＧＮ＿Ａが全てハイ信号であるか、或いは全てロー信号からなされた場合とを挙げられる。
【００９０】
データ補償部２５０の具体的なデータ補償方法は多様に設定され得る。
【００９１】
データ補償部２５０は前記テキストデータの中でエッジとラインとを区分して補償できる。
【００９２】
データ補償部２５０はテキストデータのエッジとラインとの少なくとも１つを補償できる。例えば、データ補償部２５０はテキストデータのうちエッジのみを補償し、ラインを補償しないことがあり得る。反対に、データ補償部２５０はテキストデータのうちラインのみを補償し、エッジを補償しないことがあり得る。一方、データ補償部２５０はテキストデータのうちライン及びエッジを全て補償できる。
【００９３】
データ補償部２５０はテキストデータのエッジとラインを互いに異なる階調値に補償できる。例えば、図６の場合、第２データがエッジである場合、ホワイト階調を最大階調の７０％を有するように補償し、第２データがラインである場合、ホワイト階調を最大階調の３０％を有するように補償できる。
【００９４】
データ補償部２５０はテキストデータのエッジとラインとを互いに異なる色で補償できる。例えば、図６の場合、第２データがエッジである場合、一定の階調のホワイトを有するように補償し、第２データがラインである場合、一定の階調のブルーを有するように補償できる。
【００９５】
データ補償部２５０は背景色相にしたがってテキストデータの補償程度を異ならせて補償できる。言い換えれば、データ補償部２５０は第１背景色相を有するテキストデータと第１背景色相と互いに異なる第２背景色相を有するテキストデータとを互いに異ならせて補償できる。例えば、データ補償部２５０はテキストデータがブラック背景にグリーンテキストである場合とブルー背景にグリーンテキストである場合、テキストデータの階調値を互いに異ならせて補償できる。
【００９６】
データ補償部２５０はテキストデータの補償色によって階調範囲を互いに異ならせて補償できる。例えば、データ補償部２５０はテキストデータのホワイト階調を最大階調の５〜２０％程度に補償し、レッド、グリーン、ブルー、又はホワイトを除外した他の付加色階調を最大階調の３〜５％程度に補償できる。
【００９７】
図１１Ａ及び図１１Ｂは従来の表示装置で表示される映像を示した図面であり、図１２Ａ及び図１２Ｂは本発明の表示装置で表示される映像を示した図面である。図１１Ｂは図１１Ａを拡大して４つのロジック画素を示した図面であり、図１２Ｂは図１２Ａを拡大して４つのロジック画素のみを示した図面である。図１１Ａ乃至図１２Ｂで従来の表示装置と本発明の表示装置とはブラック背景に同一のグリーンテキストを表示する。
【００９８】
図１１Ａ乃至図１２Ｂを参照すれば、同一のテキストを表示する場合であっても本発明の表示装置で表示される映像の中でテキストの可読性が従来に比べて改善されたことを分かれる。これは図４に図示された本発明のデータ処理装置２００がテキストに該当するデータを選択的に補償した結果である。
【００９９】
図１３は本発明の他の実施形態による表示パネル３１１を示した図面である。
【０１００】
図２に図示された表示パネル３１０と異なり、図１３の表示パネル３１１は１つのロジック画素に含まれたサブ画素の個数及びサブ画素の種類が異なって設定され得る。
【０１０１】
図１３を参照すれば、表示パネル３１１は第１乃至第４ロジック画素１１ＬＰ〜４１ＬＰを包含することができる。図１３には４つのロジック画素１１ＬＰ〜４１ＬＰのみを図示したが、第１乃至第４ロジック画素１１ＬＰ〜４１ＬＰは反復的に配置され得る。
【０１０２】
第１ロジック画素１１ＬＰ及び第４ロジック画素４１ＬＰの各々はレッドＲサブ画素、グリーンＧサブ画素、及びブルーＢサブ画素を含み、第２ロジック画素２１ＬＰ及び第３ロジック画素３１ＬＰの各々はシアンＣサブ画素、イエローＹサブ画素、及びブルーＢサブ画素を包含することができる。この時、レッドＲサブ画素、グリーンＧサブ画素、ブルーＢサブ画素、シアンＣサブ画素、及びイエローＹサブ画素の各々は互いに同一の大きさを有することができる。
【０１０３】
図１４は本発明のその他の実施形態による表示パネル３１２を示した図面である。
【０１０４】
表示パネル３１２は第１乃至第４ロジック画素１２ＬＰ〜４２ＬＰを包含することができる。図１４には４つのロジック画素１２ＬＰ〜４２ＬＰのみを図示したが、第１乃至第４ロジック画素１２ＬＰ〜４２ＬＰは反復的に配置され得る。
【０１０５】
第１ロジック画素１２ＬＰ及び第４ロジック画素４２ＬＰの各々はシアンＣサブ画素及びイエローＹサブ画素を含み、第２ロジック画素２２ＬＰ及び第３ロジック画素３２ＬＰの各々はブルーＢサブ画素及びホワイトＷサブ画素を包含することができる。この時、シアンＣサブ画素、イエローＹサブ画素、ブルーＢサブ画素、及びホワイトＷサブ画素の各々は互いに同一の大きさを有することができる。
【０１０６】
図１５は本発明のその他の実施形態による表示パネル３１３を示した図面である。
【０１０７】
図１５を参照すれば、表示パネル３１３は第１乃至第４ロジック画素１３ＬＰ〜４３ＬＰを包含することができる。図１５には４つのロジック画素１３ＬＰ〜４３ＬＰのみを図示したが、第１乃至第４ロジック画素１３ＬＰ〜４３ＬＰは反復的に配置され得る。
【０１０８】
第１ロジック画素１３ＬＰ及び第４ロジック画素４３ＬＰの各々はレッドＲサブ画素、グリーンＧサブ画素、ブルーＢサブ画素、及びホワイトＷサブ画素を含み、第２ロジック画素２３ＬＰ及び第３ロジック画素３３ＬＰの各々はシアンＣサブ画素、イエローＹサブ画素、ブルーＢサブ画素、及びホワイトＷサブ画素を包含することができる。この時、レッドＲサブ画素、グリーンＧサブ画素、ブルーＢサブ画素、シアンＣサブ画素、イエローＹサブ画素、ホワイトＷサブ画素の各々は互いに同一の大きさを有することができる。
【０１０９】
図１６は本発明のその他の実施形態による表示パネル３１４を示した図面である。
【０１１０】
図１６を参照すれば、表示パネル３１４は第１乃至第４ロジック画素１４ＬＰ〜４４ＬＰを包含することができる。図１６には４つのロジック画素１４ＬＰ〜４４ＬＰのみを図示したが、第１乃至第４ロジック画素１４ＬＰ〜４４ＬＰは反復的に配置され得る。
【０１１１】
第１ロジック画素１４ＬＰ及び第４ロジック画素４４ＬＰの各々はレッドＲサブ画素及びグリーンＧサブ画素を包含でき、第２ロジック画素２４ＬＰ及び第３ロジック画素３４ＬＰの各々はブルーＢサブ画素及びグリーンＧサブ画素を包含することができる。
【０１１２】
第１乃至第４ロジック画素１４ＬＰ〜４４ＬＰの各々に含まれた２つのサブ画素は互いに異なる大きさを有することができる。この時、２つのサブ画素のうち１つのサブ画素の短辺長さは余りのサブ画素の短辺長さの２倍であり得る。第１ロジック画素１４ＬＰを一例として説明すれば、レッドＲサブ画素の短辺長さはグリーンＧサブ画素の短辺長さの２倍であり得る。同様に、第２ロジック画素２４ＬＰに含まれたブルーＢサブ画素の短辺長さはグリーンＧサブ画素の短辺長さの２倍であり得る。
【０１１３】
図１７は本発明のその他の実施形態による表示パネル３１５を示した図面である。
【０１１４】
図１７を参照すれば、表示パネル３１５は第１乃至第４ロジック画素１５ＬＰ〜４５ＬＰを包含することができる。図１７には４つのロジック画素１５ＬＰ〜４５ＬＰのみを図示したが、第１乃至第４ロジック画素１５ＬＰ〜４５ＬＰは反復的に配置され得る。
【０１１５】
第１ロジック画素１５ＬＰ及び第４ロジック画素４５ＬＰの各々はレッドＲサブ画素及びグリーンＧサブ画素を包含でき、第２ロジック画素２５ＬＰ及び第３ロジック画素３５ＬＰの各々はブルーＢサブ画素及びグリーンＧサブ画素を包含することができる。
【０１１６】
第１乃至第４ロジック画素１５ＬＰ〜４５ＬＰの各々に含まれた２つのサブ画素は互いに異なる形状を有することができる。
【０１１７】
グリーンＧサブ画素は斜方形状を有し、レッドＲサブ画素及びブルーＢサブ画素は各々六角形状を有することができる。また、グリーンＧサブ画素の面積はレッドＲサブ画素及びブルーＢサブ画素の各々の面積より小さいことがあり得る。また、レッドＲサブ画素の個数及びブルーＢサブ画素の個数の合計はグリーンＧサブ画素の個数と同一であり得る。
【０１１８】
グリーンＧサブ画素で斜方形の一辺の長さはレッドＲサブ画素及びブルーＢサブ画素で六角形の一辺の長さと互いに同一であり得る。グリーンＧサブ画素の一辺はレッドＲサブ画素の一辺と隣接して並行に配置され得る。また、グリーンＧサブ画素の一辺はブルーＢサブ画素の一辺と隣接して並行に配置され得る。２つのレッドＲサブ画素及び２つのブルーＢサブ画素は１つのグリーンＧサブ画素を囲むように配置され得る。
【０１１９】
図１８は本発明のその他の実施形態による表示パネル３１６を示した図面である。
【０１２０】
図１８を参照すれば、表示パネル３１６は第１及び第４ロジック画素１６ＬＰ〜２６ＬＰを包含することができる。図１８には２つのロジック画素１６ＬＰ〜２６ＬＰのみを図示したが、第１及び第２ロジック画素１６ＬＰ〜２６ＬＰは反復的に配置され得る。
【０１２１】
第１ロジック画素１６ＬＰはブルーＢサブ画素及びレッドＲサブ画素を包含することができる。第２ロジック画素２６ＬＰはホワイトＷサブ画素及びグリーンＧサブ画素を包含することができる。この時、ブルーＢサブ画素、レッドＲサブ画素、ホワイトＷサブ画素、及びグリーンＧサブ画素の各々は互いに同一の大きさを有することができる。
【０１２２】
以上、添付された図面を参照して本発明の実施形態を説明したが、本発明が属する技術分野で通常の知識を有する者は本発明がその技術的思想や必須的な特徴を変形せず、他の具体的な形態に実施できることを理解できる。したがって、以上で記述した実施形態にはすべての面で例示的なことであり限定的なことではない理解しなければならない。
【符号の説明】
【０１２３】
１００  レンダリング部、
２００  データ処理装置、
２０１  データ分析部、
２１０  ヒストグラム分析部、
２２０  テキスト判断部、
２３０  ライン／エッジ検出部、
２４０  色分析部、
２５０  データ補償部、
３００  表示装置、
３１０  表示パネル、
３２０  タイミングコントローラ、
３３０  ゲート駆動回路、
３４０  データ駆動回路、
ＬＢ１  第１ロジック画素ブロック、
ＬＢ２  第２ロジック画素ブロック。
【図１】
2014206723.tif 000003
【図２】
2014206723.tif 000004
【図３】
2014206723.tif 000005
【図４】
2014206723.tif 000006
【図５】
2014206723.tif 000007
【図６】
2014206723.tif 000008
【図７】
2014206723.tif 000009
【図８】
2014206723.tif 000010
【図９】
2014206723.tif 000011
【図１０】
2014206723.tif 000012
【図１１Ａ】
2014206723.tif 000013
【図１１Ｂ】
2014206723.tif 000014
【図１２Ａ】
2014206723.tif 000015
【図１２Ｂ】
2014206723.tif 000016
【図１３】
2014206723.tif 000017
【図１４】
2014206723.tif 000018
【図１５】
2014206723.tif 000019
【図１６】
2014206723.tif 000020
【図１７】
2014206723.tif 000021
【図１８】
2014206723.tif 000022